(57)【要約】      （修正有）【課題】作業者が電気さく用本器の電源スイッチを安全に簡単に時間をかけることなく切り替えできる電源スイッチ切り替え具を提供する。【解決手段】電源スイッチ切り替え具は、外径が１ｃｍ以上、長手方向の長さが２０ｃｍ以上のパイプの一端、または、両端から長手方向面の肉厚を９平方ミリメートル以上欠成させた凹部Ｊ３を１つ以上備えているので、その凹部Ｊ３で電気さく用本器の電源スイッチ２を係止させ、任意の方向に回転させて電気さく用本器の電源スイッチ２を切り替えることができる。【選択図】図７
0003198139.tif 000002
【実用新案登録請求の範囲】
【請求項１】
外径が１ｃｍ以上、長手方向の長さが２０ｃｍ以上のパイプの一端、または、両端から長手方向面の肉厚を９平方ミリメートル以上欠成させた凹部を１つ以上備える電源スイッチ切り替え具。
【考案の詳細な説明】
【技術分野】
【０００１】  本考案は、田畑に猪、鹿などの害獣が侵入するのを防ぐために、田畑の周囲に設置される電気さく用本器の電源スイッチ切り替え具に関するものである。
【背景技術】
【０００２】  図１に示すように、中山間地域の農村地帯の田畑では猪や鹿などの害獣が侵入するのを防ぐために、田畑の周囲に裸電線（３）を張り巡らし、この裸電線（３）に電気さく用本器（１）からの衝撃電圧を印加するようにした電気さくが使用されている。
電気さく用本器（１）は電気さくの内側に設置される場合がある。理由は、電気さく用本器（１）を電気さくの外側に設置した場合、鹿などの害獣が電気さく用本器（１）を傷つけたり壊したり、また同じく、鹿などの害獣が電気さく用本器取り付支柱（４）を倒したり壊したりしてしまうからである。
しかし、電気さく用本器（１）を電気さくの内側に設置した場合は、作業者は電気さくの外側から電気さく用本器（１）の電源スイッチ（２）を切り替える時に、次に示す例が問題として残る。
１例目、電気さく用本器（１）が手に届くところにあれば、作業者は体の一部が裸電線（３）に触れないように神経を使い注意をしながら電気さく用本器（１）に腕や手を伸ばして電源スイッチ（２）を切り替える必要がある。
２例目、電気さく用本器（１）が電気さくの内側、裸電線（３）から１ｍほどのところに位置していると、作業者は電気さくの内側の電気さく用本器（１）まで手が届かないので、図２に示すように作業者は最寄りの出入口の取っ手（５）を外してさく内に入り電気さく用本器（１）の電源スイッチ（２）を切り替える必要がある。
図３に示すのは、電気さく用本器（１）の拡大正面図である。
【先行技術文献】
【特許文献】
【０００３】
【特許文献１】特許登録第４６７１３１２号
【考案の概要】
【考案が解決しようとする課題】
【０００４】  前述の１例目のように、電気さく用本器（１）が手に届くところにあれば、作業者は体の一部が裸電線（３）に触れないように神経を使い注意をしながら電気さく用本器（１）に腕や手を伸ばして電源スイッチ（２）を切り替える必要がある。また２例目のように、電気さく用本器（１）が電気さくの内側、裸電線（３）から１ｍほどのところに位置していると、作業者は電気さくの内側電気さく用本器（１）まで手が届かないので、図３に示すように作業者は最寄りの出入口の取っ手（５）を外してさく内に入り電気さく用本器（１）の電源スイッチ（２）を切り替える必要がある。
そこで、電気さく用本器（１）の電源スイッチ（２）を安全に簡単に時間をかけることなく切り替えできる電源スイッチ切り替え具が求められていた。
本考案は、以上の点を鑑みて創案されたものであり、作業者が電気さく用本器（１）の電源スイッチ（２）を安全に簡単に時間をかけることなく切り替えできる電源スイッチ切り替え具を提供することを目的とする。
【課題を解決するための手段】
【０００５】  上記の目的を達成するために、本考案の電源スイッチ切り替え具（Ｊ１）は、外径が１ｃｍ以上、長手方向の長さが２０ｃｍ以上のパイプ（Ｊ２）の一端、または、両端から長手方向面の肉厚を９平方ミリメートル以上欠成させた凹部（Ｊ３）を１つ以上備える。【０００６】  ここで、パイプ（Ｊ２）の一端、または、両端から長手方向面の肉厚を９平方ミリメートル以上欠成させた凹部（Ｊ３）を１つ以上備えることによって、作業者は電気さく用本器（１）の電源スイッチ（２）の一部を係止することで、任意の方向に回転させて電気さく用本器（１）の電源スイッチ（２）を切り替えることができる。
【考案の効果】
【０００７】  本考案に係る電源スイッチ操作器具（Ｊ１）は、作業者が電気さく用本器（１）の電源スイッチ（２）を安全に簡単に時間をかけることなく任意の方向に回転させて電気さく用本器（１）の電源スイッチ（２）を切り替えることができる。
【図面の簡単な説明】
【０００８】
【図１】電気さくの概略図。
【図２】電気さくの出入口を外した概略図。
【図３】電気さく用本器拡大正面図。
【図４】本考案の電源スイッチ切り替え具。
【図５】電気さく用本器拡大斜視図。
【図６】本考案の電源スイッチ切り替え具を電気さく用本器の電源スイッチに係止した概略図。
【図７】図６の主要部分拡大図。
【図８】電気さく用本器の電源スイッチを「切」に切り替えた主要部分拡大図。
【考案を実施するための形態】
【０００９】  以下、本考案の実施の形態について図面を参照しながら説明し、本考案の理解に供する。
図４に示すのは、本考案の電源スイッチ切り替え具（Ｊ１）であり、外径が２．５ｃｍ、長手方向の長さが１ｍ３０ｃｍ、パイプ（Ｊ２）の両端から長手方向面の肉厚を２８平方ミリメートル欠成させた凹部（Ｊ３）を１つ備える。なお、長手方向部分は一部を省略して示している。
【００１０】  図５に示すのは、電気さく用本器（１）である。この電気さく用本器（１）は電気さくの内側、裸電線（３）から１ｍのところに位置しており、電源スイッチ（２）は「出力」に入れてあり、電気さくの裸電線（３）には１秒間に１回、衛撃圧電圧がかけられている。
【００１１】  電気さくは月日が経つと裸電線（３）のたるみを直したり、高さを調整したりする管理作業をおこなうこともある。このような管理作業をおこなう時には電気さく用本器（１）の電源スイッチ（２）を「切」にして、電気さくの裸電線（３）にかかる衝撃電圧を止める必要がある。
【００１２】  図６に示すのは、本考案の電源スイッチ切り替え具（Ｊ１）の凹部（Ｊ３）を電気さく用本器（１）の電源スイッチ（２）に係止させたところである。なお、長手方向部分は一部を省略して示している。
前述のように、電気さく用本器（１）の位置は電気さくの内側、裸電線（３）から１ｍのところであり、本考案の電源スイッチ切り替え具（Ｊ１）の長さは１ｍ３０ｃｍであるので、作業者が手にしている本考案の電源スイッチ切り替え具（Ｊ１）の約３０ｃｍは電気さくの外側にあり、作業者は裸電線（３）に触れることはなく安全で簡単である。
さらに、作業者は最寄りの出入口の取っ手（５）を外して電気さくの内側に入って電気さく用本器（１）に近づく必要もないので、これに要する時間と手間を省くことができる。
【００１３】  図７に示すのは、図６の主要部分拡大図であり、本考案の電源スイッチ切り替え具（Ｊ１）の凹部（Ｊ３）が電気さく用本器（１）の電源スイッチ（２）に係止された様子が見て取れる。
【００１４】  図８に示すように、本考案の電源スイッチ切り替え具（Ｊ１）の凹部（Ｊ３）は、電気さく用本器（１）の電源スイッチ（２）に係止されているので、本考案の電源スイッチ切り替え具（Ｊ１）を反時計回りに略９０度回転させると、電気さく用本器（１）の電源スイッチ（２）は「切」に切り替えられて、電気さくの裸電線（３）にかかる衝撃電圧を止めることができる。
ここでもかわらず、作業者が手にしている本考案の電源スイッチ切り替え具（Ｊ１）の約３０ｃｍは電気さくの外側にあり、作業者は裸電線（３）に触れることはなく安全で簡単である。
また、図８の電気さく用本器（１）の電源スイッチ（２）の「切」の状態から、本考案の電源スイッチ切り替え具（Ｊ１）を時計回りに略９０度回転させると、電気さく用本器（１）の電源スイッチ（２）は「出力」に切り替えられて、電気さくの裸電線（３）に衝撃電圧をかけることができる。
【符号の説明】
【００１５】    １    電気さく用本器
２    電源スイッチ
３    裸電線
４    本器取り付支柱
５    出入口の取っ手
Ｊ１  本考案の電源スイッチ切り替え具
Ｊ２  パイプ
Ｊ３  凹部
【図１】
0003198139.tif 000003
【図２】
0003198139.tif 000004
【図３】
0003198139.tif 000005
【図４】
0003198139.tif 000006
【図５】
0003198139.tif 000007
【図６】
0003198139.tif 000008
【図７】
0003198139.tif 000009
【図８】
0003198139.tif 000010